(57)【要約】【課題】電子写真方式を応用した画像形成装置において、コストアップ及び装置の大型化を防止しつつ、ミラー部材のスキュー調整を容易、且つ迅速に行う。【解決手段】ミラー部材３８の背面端部と当接されるミラー角度調整部材５２と、ミラー角度調整部材５２をハウジング５０に位置決めするための位置決め用ねじ５３と、ミラー部材３８をミラー角度調整部材５２の側に付勢する付勢部材等によってミラー角度調整機構５１を構成する。ミラー角度調整部材５２は、ハウジング５０の側面５０ａの上端縁に係合される上端係合部５２ａと、位置決め用ねじ５３が螺入されるねじ穴５２ｂと、ミラー部材３８の背面と当接される楔状のミラー当接部５２ｃとを有する。長穴５４に沿って位置決め用ねじ５３を介してミラー角度調整部材５２が移動されると、ミラー部材３８とミラー角度調整部材５２との当接部分が移動され、ミラー部材３８の角度が変更される。【選択図】図５
2007292889.tif 000002
【特許請求の範囲】
【請求項１】
表面に感光体が塗布された感光体ドラムと、
前記感光体ドラムの表面を均一に帯電させる帯電手段と、
前記感光体の表面にレーザビームを走査させながら照射して潜像を形成する露光手段と、
前記感光体の表面のうち潜像が形成された部分にトナーを付着させてトナー像を形成する現像手段と、
前記感光体ドラムの回転方向の前記現像手段よりも下流側の所定の転写位置において、前記感光体ドラムの表面に対向するように設けられ、前記感光体ドラムの表面に形成されたトナー像を記録紙の上に転写させる転写手段と、
トナー像が転写された記録紙に所定の熱及び圧力を与えてトナー像を記録紙上に定着させる定着手段と、
上記各部を制御する制御手段を備えた画像形成装置において、
前記露光手段は、
レーザビームを出射するレーザダイオードと、前記レーザダイオードから出射されたレーザビームを平行化するコリメータレンズと、このコリメータレンズによって平行化されたレーザビームを主走査方向にのみ集束させるシリンダレンズと、このシリンダレンズによって主走査方向にのみ集束されたレーザビームを主走査方向に走査するように反射させるポリゴンミラーと、このポリゴンミラーによって反射されたレーザビームを透過させるｆθレンズと、このｆθレンズを透過したレーザビームを前記感光体ドラムの表面に向けて反射させるミラー部材と、これらの各部品が組み込まれる樹脂成型品による箱状のハウジングと、前記ミラー部材の背後において一部分が該ハウジングシングの外部に露出するように該ハウジングの側面に装着され、前記ミラー部材の背面端部と当接されて該ミラー部材の該ハウジングに対する取り付け角度を調整するミラー角度調整部材と、前記ミラー部材を前記ミラー角度調整部材の側に付勢する付勢手段と、前記ミラー角度調整部材を前記ハウジングに位置決めするための位置決め用ねじとを備え、
前記ハウジングは、前記ミラー部材の背後に位置される側面において、前記ｆθレンズを透過したレーザビームの主走査方向と平行に形成された長穴を有し、
前記ミラー角度調整部材は、
板金によって形成され、
前記ハウジングの側面の上端縁に係合される上端係合部と、該前記長穴に挿通された前記位置決め用ねじが螺入されるねじ穴と、前記ミラー部材の中央部側から端部側にかけて前記ハウジングの側面から離れるように楔状に傾斜して突出され、前記ミラー部材の背面と当接されるミラー当接部とを有し、
前記ハウジングが画像形成装置に搭載された後、前記位置決め用ねじを、前記長穴に沿って移動させることにより、前記ミラー部材の背面とミラー当接部との当接部分が移動し、前記ミラー部材のスキュー調整が可能とされ、
その後、前記位置決め用ねじを締結することにより、前記露出手段を画像形成装置のフレームに密閉状態で固定した後、該露出手段のハウジングを密閉した状態のまま前記ミラー部材を前記感光体ドラムに対して最適角度となるように前記ハウジングに固定可能としたことを特徴とする画像形成装置。
【請求項２】
表面に感光体が塗布された感光体ドラムと、
前記感光体の表面にレーザビームを走査させながら照射して潜像を形成する露光手段とを備えた画像形成装置において、
前記露光手段は、
レーザビームを出射するレーザダイオードと、前記レーザダイオードから出射されたレーザビームを主走査方向に走査するように反射させるポリゴンミラーと、このポリゴンミラーによって反射されたレーザビームを透過させるｆθレンズと、このｆθレンズを透過したレーザビームを前記感光体ドラムの表面に向けて反射させるミラー部材と、これらの各部品が組み込まれる樹脂成型品による箱状のハウジングと、前記ミラー部材の角度を調整するミラー角度調整部材と、前記ミラー部材を前記ミラー角度調整部材の側に付勢する付勢手段とを備え、
前記ミラー角度調整部材は、
前記ミラー部材の角度を調整する際に、前記ｆθレンズを透過したレーザビームの主走査方向と平行に移動可能であり、
前記ミラー部材の中央部側から端部側にかけて前記ハウジングの側面から離れるように楔状に傾斜して突出され、前記ミラー部材の背面と当接されるミラー当接部とを有することを特徴とする画像形成装置。
【請求項３】
前記露光手段は、前記ミラー角度調整部材を前記ハウジングに位置決めするための位置決め用ねじを備え、
前記ハウジングは、前記ミラー部材の背後に位置される側面において、前記ｆθレンズを透過したレーザビームの主走査方向と平行に形成され、前記位置決め用ねじが挿通される長穴を有することを特徴とする請求項２に記載の画像形成装置。
【発明の詳細な説明】
【技術分野】
【０００１】
本発明は、感光体ドラムの表面にレーザビームを走査させながら照射して潜像を形成するレーザスキャンユニットを備えた画像形成装置に関するものである。
【背景技術】
【０００２】
レーザビームプリンタなど、電子写真技術を応用した画像形成装置では、適正な画像を形成するために、レーザスキャンユニットから感光体ドラムに対して正確な角度でレーザビームを出射する必要がある。そこで、従来からレーザビームプリンタ等においては、レーザスキャンユニットを装置本体に搭載した後、装置本体に対するレーザスキャンユニット自体の搭載角度、又はレーザスキャンユニットにおけるミラー部材の搭載角度を微調整可能に構成されている。特に、以下に示す特許文献には、レーザスキャンユニットにおけるミラー部材の搭載角度を調整するミラー角度調整機構（いわゆるスキュー調整機構）が開示されている。
【０００３】
特許文献１には、ミラー部材を押圧する押さえ部材と、押さえ部材を回転自在に支持する支持舌片と、ミラー部材を押さえ部材の方向に付勢するU字状板ばねと、押さえ部材を姿勢を調整する調整ねじ等によって構成されたミラー角度調整機構が示されている。また、特許文献２には、ミラー部材を支持するミラー支持枠と、ミラー支持枠を本体ベースに固定するねじと、ミラー支持枠とねじとの間に介挿される調整カラー等によって構成されたミラー角度調整機構が示されている。また、特許文献３には、レーザスキャンユニットのハウジングに設けられた穴に間挿される偏心ピンと、偏心ピンをハウジングに固定するためのねじと、ミラー部材を偏心ピンの方向に付勢するばねと、偏心ピンを基準位置に合わせるための基準位置出し治具等によって構成されたミラー角度調整機構が示されている。また、特許文献４には、ミラー部材を支持するミラー支持部材と、ミラー支持部材をハウジングに固定するための３本のねじと、ミラー部材をミラー支持部材の方向に付勢する弾性部材等によって構成されたミラー角度調整機構が示されている。さらに、特許文献５には、ハウジングとは別に設けられたミラーユニットに取り付けられるミラー部材の角度を調整するミラー角度調整機構が示されている。
【特許文献１】特開平８−１４６５３０号公報
【特許文献２】特公平６−８５０１４号公報
【特許文献３】特開平１１−１３３３３０号公報
【特許文献４】特開２００４−２８７２２８号公報
【特許文献５】特開平９−２１８４７０号公報
【発明の開示】
【発明が解決しようとする課題】
【０００４】
ところが、上記いずれの特許文献に示されたミラー角度調整機構を有する画像形成装置においても、ミラー角度調整機構の構成が複雑であり、画像形成装置が大型化するだけでなく、その製造工程が煩雑となるため、画像形成装置のコストアップを招来する。特に、特許文献５に示されたミラー角度調整機構にあっては、レーザスキャンユニットのハウジングとは別にミラーユニットを設ける必要があるので、装置全体が大型になる。
【０００５】
本発明は、上記従来例の問題を解決するためになされたものであり、コストアップ及び装置の大型化を防止しつつ、ミラー部材のスキュー調整を容易、且つ迅速に行いうる画像形成装置を提供することを目的とする。
【課題を解決するための手段】
【０００６】
表面に感光体が塗布された感光体ドラムと、感光体ドラムの表面を均一に帯電させる帯電手段と、感光体の表面にレーザビームを走査させながら照射して潜像を形成する露光手段と、感光体の表面のうち潜像が形成された部分にトナーを付着させてトナー像を形成する現像手段と、感光体ドラムの回転方向の現像手段よりも下流側の所定の転写位置において、感光体ドラムの表面に対向するように設けられ、感光体ドラムの表面に形成されたトナー像を記録紙の上に転写させる転写手段と、トナー像が転写された記録紙に所定の熱及び圧力を与えてトナー像を記録紙上に定着させる定着手段と、上記各部を制御する制御手段を備えた画像形成装置において、露光手段は、レーザビームを出射するレーザダイオードと、レーザダイオードから出射されたレーザビームを平行化するコリメータレンズと、このコリメータレンズによって平行化されたレーザビームを主走査方向にのみ集束させるシリンダレンズと、このシリンダレンズによって主走査方向にのみ集束されたレーザビームを主走査方向に走査するように反射させるポリゴンミラーと、このポリゴンミラーによって反射されたレーザビームを透過させるｆθレンズと、このｆθレンズを透過したレーザビームを感光体ドラムの表面に向けて反射させるミラー部材と、これらの各部品が組み込まれる樹脂成型品による箱状のハウジングと、ミラー部材の背後において一部分が該ハウジングシングの外部に露出するように該ハウジングの側面に装着され、ミラー部材の背面端部と当接されて該ミラー部材の該ハウジングに対する取り付け角度を調整するミラー角度調整部材と、ミラー部材をミラー角度調整部材の側に付勢する付勢手段と、ミラー角度調整部材をハウジングに位置決めするための位置決め用ねじとを備え、ハウジングは、ミラー部材の背後に位置される側面において、ｆθレンズを透過したレーザビームの主走査方向と平行に形成された長穴を有し、ミラー角度調整部材は、板金によって形成され、ハウジングの側面の上端縁に係合される上端係合部と、該長穴に挿通された位置決め用ねじが螺入されるねじ穴と、ミラー部材の中央部側から端部側にかけてハウジングの側面から離れるように楔状に傾斜して突出され、ミラー部材の背面と当接されるミラー当接部とを有し、ハウジングが画像形成装置に搭載された後、位置決め用ねじを、長穴に沿って移動させることにより、ミラー部材の背面とミラー当接部との当接部分が移動し、ミラー部材のスキュー調整が可能とされ、その後、位置決め用ねじを締結することにより、露出手段を画像形成装置のフレームに密閉状態で固定した後、該露出手段のハウジングを密閉した状態のままミラー部材を感光体ドラムに対して最適角度となるようにハウジングに固定可能としたものである。
【０００７】
請求項２に係る発明は、表面に感光体が塗布された感光体ドラムと、感光体の表面にレーザビームを走査させながら照射して潜像を形成する露光手段とを備えた画像形成装置において、露光手段は、レーザビームを出射するレーザダイオードと、レーザダイオードから出射されたレーザビームを主走査方向に走査するように反射させるポリゴンミラーと、このポリゴンミラーによって反射されたレーザビームを透過させるｆθレンズと、このｆθレンズを透過したレーザビームを感光体ドラムの表面に向けて反射させるミラー部材と、これらの各部品が組み込まれる樹脂成型品による箱状のハウジングと、ミラー部材の角度を調整するミラー角度調整部材と、ミラー部材をミラー角度調整部材の側に付勢する付勢手段とを備え、ミラー角度調整部材は、ミラー部材の角度を調整する際に、ｆθレンズを透過したレーザビームの主走査方向と平行に移動可能であり、ミラー部材の中央部側から端部側にかけてハウジングの側面から離れるように楔状に傾斜して突出され、ミラー部材の背面と当接されるミラー当接部とを有するものである。
【０００８】
請求項３に係る発明は、請求項２に記載の画像形成装置において、露光手段は、ミラー角度調整部材をハウジングに位置決めするための位置決め用ねじを備え、ハウジングは、ミラー部材の背後に位置される側面において、ｆθレンズを透過したレーザビームの主走査方向と平行に形成され、位置決め用ねじが挿通される長穴を有するものである。
【発明の効果】
【０００９】
請求項１の発明によれば、ミラー角度調整部材が、楔状に形成されたミラー当接部を有し、位置決め用ねじと共に長穴に沿って移動されることにより、ミラー部材の背面とミラー当接部との当接部分が移動し、ミラー部材のスキューが調整される。これにより、簡素かつ安価な構成で、ミラー部材のスキュー調整が可能になる。また、その後、位置決め用ねじを締結することにより、ミラー部材を最適角度でハウジングに固定できるので、画像形成装置の製造工程において、ミラー部材のスキュー調整工程を容易かつ迅速に行うことができる。また、ミラー角度調整部材は、ハウジングの側面の上端縁に係合される上端係合部を有しているので、位置決め用ねじを締結する際、該ねじと共に自転することがないため、ミラー角度調整部材を手等で押える必要がない。これにより、ミラー角度の調整を一層簡単に行えるようになる。また、ミラー角度調整部材が、板金によって形成されているので、ミラー部材を背面から強固に支持することができる。さらに、ミラー角度調整部材の一部分がハウジングの外部に露出しているため、この部分を操作することにより、ハウジングを密閉した状態で感光体ドラムの角度調整に対するミラー部材の角度調整を行うことができる。そのため、ミラー部材の角度調整の際、ハウジングの内部に埃等が侵入することを防止することができる。
【００１０】
請求項２の発明によれば、ミラー角度調整部材が、楔状に形成されたミラー当接部を有し、ｆθレンズを透過したレーザビームの主走査方向と平行に移動されることにより、ミラー部材の背面とミラー当接部との当接部分が移動し、ミラーの角度が調整される。これにより、簡素かつ安価な構成で、感光体ドラムに対するミラー部材の相対角度が微調整可能になる。また、その後、位置決め用ねじを締結することにより、ミラー部材を感光体ドラムに対して最適角度でハウジングに固定できるので、画像形成装置の製造工程において、ミラー部材のスキュー調整工程を容易かつ迅速に行うことができる。
【００１１】
請求項３の発明によれば、位置決め用ねじを長穴に沿って移動させることにより、ミラー角度調整部材をｆθレンズを透過したレーザビームの主走査方向と平行に移動させることができ、ミラー部材のスキュー調整が容易に行えるようになる。
【発明を実施するための最良の形態】
【００１２】
本発明に係る画像形成装置について図面を参照して説明する。図１は、画像形成装置の一構成例であるレーザビームプリンタ１を示している。レーザビームプリンタ１は、表面に感光体が塗布されている感光体ドラム２、クリーナ３、帯電器（帯電手段）４、レーザスキャンユニット（露光手段）５、現像ブラシ（現像手段）６、転写ローラ（転写手段）７、転写ローラ７に対して記録紙Ｐの搬送方向の下流側に配置されている定着ローラ（定着手段）８、記録紙Ｐが装填される給紙トレイ（記録紙保持手段）９、プリント済みの記録紙Ｐが堆積される排紙部１０、給紙トレイ９に装填された記録紙Ｐを感光体ドラム２の位置まで搬送する記録紙搬送機構１１、上記各部を収容する筐体１４等によって構成されている。
【００１３】
クリーナ３は、感光体ドラム２の表面に付着している１行程（１回転）前のトナー及び紙粉を除去し、ドラム表面を清掃する。帯電器４は、クリーナ３によって清掃された感光体ドラム２の表面を均一に帯電させる。レーザスキャンユニット５は、帯電器４によって帯電された感光体ドラム２の表面にレーザビームＬを走査させながら照射して潜像を形成する。現像ブラシ６は、トナーが充填されたトナーカートリッジ１５に装着されており、感光体ドラム２の表面のうち潜像が形成された部分にトナーを付着させてトナー像を形成する。転写ローラ７は、感光体ドラム２の表面に対向するように設けられ、記録紙Ｐを感光体ドラム２の表面に押圧しながら記録紙Ｐの表面を帯電させて、感光体ドラム２の表面に形成されたトナー像を記録紙Ｐの上に転写させる。転写ローラ７によって表面に画像が形成された記録紙Ｐは、定着ローラ８に搬送される。定着ローラ８は、対向して配置された押圧ローラ１６と共に記録紙Ｐを挟みつつ熱と圧力を加えてトナーを定着させる。トナー定着のための熱は、定着ローラ８に内蔵されているヒータ（例えば、ハロゲンランプ等）から供給される。記録紙搬送機構１１は、給紙トレイ９に装填された記録紙Ｐを送出するピックローラ２１を有している。ピックローラ２１は、回転軸２２を介してフレーム部材２３に回転自在に支持されている。筐体１４の背面側には、記録紙搬送機構１１の周辺部に詰まった記録紙を除去するために、開口部が設けられており、開口部には開閉カバー２４が装着されている。
【００１４】
図２は、レーザスキャンユニット５の構成を示す。レーザスキャンユニット５は、レーザビームを出射するレーザダイオード３１と、レーザダイオード３１に駆動電圧を印加する第１の回路基板３２と、レーザダイオード３１から出射されたレーザビームを平行化するコリメータレンズ３３と、コリメータレンズ３３によって平行化されたレーザビームの一部を通過させて絞り込むスリット３４と、スリット３４を通過したレーザビームを主走査方向にのみ集束させるシリンダレンズ３５と、シリンダレンズ３５によって集束されたレーザビームを主走査方向に走査するように反射させるポリゴンミラー３６と、ポリゴンミラー３６によって反射されたレーザビームを透過させるｆθレンズ３７と、ｆθレンズ３７を透過したレーザビームを感光体ドラム２の表面に向けて反射させるミラー部材３８と、ポリゴンミラー３６を回転駆動するための駆動モータ（駆動手段）３９が実装された第２の回路基板４０と、これらの各部品が組み込まれる箱状のハウジング５０と、ミラー部材３８のハウジング５０に対する取り付け角度を調整するミラー角度調整機構５１等を有している。レーザスキャンユニット５は、図２において上側の開口部が密閉された状態でレーザビームプリンタ１のフレームに搭載されている。なお、本実施形態におけるスキュー調整機構としては、レーザスキャンユニット５のハウジング５０におけるミラー部材３８の取り付け角度を調整する方式の機構（すなわち、上記ミラー角度調整機構５１）が適用されている。また、図２において、ミラー角度調整機構５１は、ミラー部材３８の一端に設けられているが、両端に設けるように構成してもよい。
【００１５】
図３乃至図６は、ミラー角度調整機構５１の構成及びミラー角度調整機構５１によって、ミラー部材３８の角度が調整される様子を示している。図３（ａ）（ｂ）及び図４は、ミラー部材３８、ミラー角度調整部材５２等をハウジング５０に組み込んだ当初の状態、図５（ａ）（ｂ）及び図６は、ミラー角度調整部材５２を移動させることにより、ミラー部材３８の姿勢を立てて、レーザビームＬの反射方向を調整した状態を示している。
【００１６】
ミラー角度調整機構５１は、ミラー部材３８の背面端部と当接されるミラー角度調整部材５２と、ミラー角度調整部材５２をハウジング５０に位置決めするための位置決め用ねじ５３と、ミラー部材３８をミラー角度調整部材５２の側に付勢するばね部材６０等を有している。
【００１７】
ミラー角度調整部材５２は、ミラー部材３８の背後においてハウジング５０の側面に装着されて、ミラー部材３８のハウジング５０に対する取り付け角度を調整する。ミラー角度調整部材５２は、めっき鋼板などの金属板をプレス成形して形成され、ハウジング５０の側面５０ａの上端縁に係合し得るように折り返された上端係合部５２ａと、位置決め用ねじ５３が螺入されるねじ穴５２ｂと、ミラー部材３８の背面と当接されるミラー当接部５２ｃとを有している。ミラー当接部５２ｃは、ミラー部材３８の中央部側から端部側にかけてハウジング５０の側面５０ａから離れるように、楔状に形成されている。
【００１８】
また、ハウジング５０の側面５０ａには、ｆθレンズ３７を透過したレーザビームＬの主走査方向と平行に、長穴５４が形成されている。位置決め用ねじ５３を緩めて長穴５４に沿って位置決め用ねじ５３を移動させることにより、ミラー角度調整部材５２をレーザビームＬの主走査方向と平行に移動させることができる。
【００１９】
ミラー部材３８は、ばね部材６０によってミラー角度調整部材５２の側、すなわち図中Ｄ方向に付勢されているので、ミラー当接部５２ｃは、ミラー部材３８の背面端部と常に当接されている。従って、ミラー角度調整部材５２がレーザビームＬの主走査方向と平行（矢印Ｘ方向）に移動されたとき、ミラー部材３８の背面端部とミラー当接部５２ｃとの当接部分が移動される。このとき、ミラー当接部５２ｃが上述のごとく楔状に形成されているので、ミラー角度調整部材５２の移動に連動して、ミラー部材３８が矢印Ｙ方向に回動され、レーザビームＬの反射方向が変わる。このように、長穴５４に沿って位置決め用ねじ５３を移動させることにより、ミラー部材３８のスキュー調整が容易になされる。
【００２０】
また、ミラー角度調整部材５２の位置を調整することにより、ミラー部材３８の取り付け角度を最適に調整した後は、位置決め用ねじ５３を締結することにより、ミラー角度調整部材５２を固定すれば、ミラー部材３８のスキュー調整が完了する。上述したミラー部材３８のスキュー調整は、ハウジング５０を密閉した状態のまま行うことができる。
【００２１】
以上のように、本発明によれば、ミラー角度調整部材５２が、楔状に形成されたミラー当接部５２ｃを有し、位置決め用ねじ５３と共に長穴５４に沿って移動されることにより、ミラー部材３８の背面とミラー当接部５２ｃとの当接部分が移動し、ミラー部材３８の角度が調整される。これにより、容易かつ安価な構成で、感光体ドラム２に対するミラー部材３８の相対角度が微調整可能になる。また、その後、位置決め用ねじ５３を締結することにより、ミラー部材３８を感光体ドラム２に対して最適角度でハウジング５０に固定できるので、レーザビームプリンタ１の製造工程において、ミラー部材３８のスキュー調整を簡単かつ迅速に行うことができる。また、ミラー角度調整部材５２は、ハウジング５０の側面の上端縁に係合される上端係合部５２ａを有しているので、位置決め用ねじ５３を締結する際、位置決め用ねじ５３と共に自転することがないため、ミラー角度調整部材５２を押える必要がない。これにより、ミラー部材３８のスキュー調整を一層簡単に行えるようになる。また、ミラー角度調整部材５２が、板金によって形成されているので、ミラー部材３８を背面から強固に支持することができる。さらに、ミラー角度調整部材５２の一部分がハウジング５０の外部に露出しているため、この部分を操作することにより、ハウジング５０を密閉した状態で感光体ドラム２の角度調整に対するミラー部材３８の角度調整を行うことができる。そのため、ミラー部材３８の角度調整の際、ハウジング５０の内部に埃等が侵入することを防止することができる。
【００２２】
なお、本発明は、上記実施形態の構成に限られることなく種々の変形が可能であり、少なくとも、ミラー角度調整部材５２が、ミラー部材３８と当接される楔状のミラー当接部を有し、レーザスキャンユニット５のハウジング５０の側面５０ｂ等に沿って移動可能に構成されていればよい。また、ミラー角度調整部材５２は、板金により構成されたものに限られることなく、樹脂成形によって構成されたものであってもよい。
【図面の簡単な説明】
【００２３】
【図１】本発明の一実施形態に係る画像形成装置の一構成例であるレーザビームプリンタの構成を示す断面図。
【図２】同プリンタにおけるレーザスキャンユニットの構成を示す斜視図。
【図３】（ａ）は、スキュー調整前のミラー角度調整機構を示すレーザスキャンユニットの平面図、（ｂ）は、同正面図。
【図４】スキュー調整前のミラー角度調整機構を示す側断面図。
【図５】（ａ）は、スキュー調整後のミラー角度調整機構を示すレーザスキャンユニットの平面図、（ｂ）は、同正面図。
【図６】スキュー調整後のミラー角度調整機構を示す側断面図。
【符号の説明】
【００２４】
５    レーザスキャンユニット
３７    ｆθレンズ
３８    ミラー部材
５０    ハウジング
５１    ミラー角度調整機構
５２    ミラー角度調整部材
５２ａ    上端係合部
５２ｃ    ミラー当接部
５３    位置決め用ねじ
５４    長穴
【図１】
2007292889.tif 000003
【図２】
2007292889.tif 000004
【図３】
2007292889.tif 000005
【図４】
2007292889.tif 000006
【図５】
2007292889.tif 000007
【図６】
2007292889.tif 000008